(57)【要約】【課題】  フィルタ面に付着した塵埃を十分に落とすことのできる電気掃除機を提供する。【解決手段】  塵埃を吸引するための電動送風機１１を有する掃除機本体１２と、電動送風機１１の上流側に着脱自在に位置するとともに塵埃を含んだ空気を吸引する吸引口２１を有するダストカップ２０とを備え、このダストカップ２０は、吸引口２１から吸引された塵埃と空気を分離するフィルタと、このフィルタによって分離された塵埃を集塵する集塵室部と、前記フィルタに対して下流側に着脱自在に装着されるプリーツフィルタ体３０とを有し、電動送風機１１の吸気口とダストカップ２０の集塵室部とが前記フィルタおよびプリーツフィルタ体３０を介して連通される電気掃除機において、プリーツフィルタ体３０の上流側の表面に沿って移動するブラシ４０を設けた。【選択図】  図１
2005261518.tif 000002
【特許請求の範囲】
【請求項１】
塵埃を吸引するための電動送風機を有する掃除機本体と、前記電動送風機の上流側に着脱自在に位置するとともに塵埃を含んだ空気を吸引する吸引口を有する集塵ケースとを備え、この集塵ケースは、前記吸引口から吸引された空気から塵埃を分離する塵埃分離手段と、この塵埃分離手段によって分離された塵埃を集塵する集塵室部と、前記塵埃分離手段に対して下流側に着脱自在に装着されるフィルタとを有し、前記電動送風機の吸気口と集塵ケースの集塵室部とが前記塵埃分離手段およびフィルタを介して連通される電気掃除機において、
前記フィルタの上流側の表面に沿って移動するブラシを設けたことを特徴とする電気掃除機。
【請求項２】
前記フィルタは、直線上に延びる山部と谷部とが交互に形成されたプリーツフィルタであり、
前記ブラシは、プリーツフィルタの谷部および山部に沿って移動し、
前記ブラシのブラシ毛体の形状は谷部の断面形状に合わせられていることを特徴とする請求項１に記載の電気掃除機。
【請求項３】
前記ブラシの毛先が略球状に形成されていることを特徴とする請求項１または請求項２に記載の電気掃除機。
【請求項４】
前記ブラシを移動させるための把手部を前記フィルタの下流側に設けたことを特徴とする請求項１ないし請求項３のいずれか１つに記載の電気掃除機。
【請求項５】
前記集塵ケースの着脱に連動して前記ブラシを移動させる移動機構を設けたことを特徴とする請求項１ないし請求項４のいずれか１つに記載の電気掃除機。
【請求項６】
前記フィルタは、空気の通過を妨げる非連通部を端部に有し、前記集塵ケースを掃除機本体に装着した際に、前記ブラシが前記非連通部に移動することを特徴とする請求項１ないし請求項５のいずれか１つに記載の電気掃除機。
【発明の詳細な説明】
【技術分野】
【０００１】
この発明は、掃除機本体に着脱自在に装着される集塵ケースを備えた電気掃除機に関する。
【背景技術】
【０００２】
従来から、集塵ケースを掃除機本体に着脱自在に設けた電気掃除機が知られている（特許文献１参照）。
【０００３】
かかる電気掃除機は、塵埃を吸引するための電動送風機を有する掃除機本体と、この掃除機本体に着脱自在に装着されるとともに塵埃を吸引する吸引口を有する集塵ケースとを備え、この集塵ケースは、前記吸引口から吸引された塵埃と空気を分離する塵埃分離部と、この塵埃分離部によって分離された塵埃を集塵する集塵室部と、前記集塵ケースの後部開口に着脱自在に設けたプリーツフィルタとを有している。
【特許文献１】特開平１０−５１５５号公報
【発明の開示】
【発明が解決しようとする課題】
【０００４】
このような電気掃除機にあっては、微細な塵埃が塵埃分離部を通過すると、その塵埃がプリーツフィルタに付着し、プリーツフィルタが目詰まりを起こしてしまう。そこで、プリーツフィルタに振動を与えてプリーツフィルタに付着した塵埃を落とす振動手段を設けた電気掃除機が提案されている。
【０００５】
しかし、プリーツフィルタのフィルタ面に付着した塵埃を振動手段による振動では十分に落とすことができないという問題があった。
【０００６】
この発明の目的は、フィルタ面に付着した塵埃を十分に落とすことのできる電気掃除機を提供することにある。
【課題を解決するための手段】
【０００７】
請求項１の発明は、塵埃を吸引するための電動送風機を有する掃除機本体と、前記電動送風機の上流側に着脱自在に位置するとともに塵埃を含んだ空気を吸引する吸引口を有する集塵ケースとを備え、この集塵ケースは、前記吸引口から吸引された空気から塵埃を分離する塵埃分離手段と、この塵埃分離手段によって分離された塵埃を集塵する集塵室部と、前記塵埃分離手段に対して下流側に着脱自在に装着されるフィルタとを有し、前記電動送風機の吸気口と集塵ケースの集塵室部とが前記塵埃分離手段およびフィルタを介して連通される電気掃除機において、
前記フィルタの上流側の表面に沿って移動するブラシを設けたことを特徴とする。
【発明の効果】
【０００８】
この発明によれば、フィルタの上流側の表面に沿って移動するブラシを設けたものであるから、フィルタ面に付着した塵埃を十分に落とすことができる。
【発明を実施するための最良の形態】
【０００９】
以下、この発明に係る電気掃除機の実施の形態である実施例を図面に基づいて説明する。
【実施例】
【００１０】
［第１実施例］
図１に示す電気掃除機１０は、電動送風機１１を有する掃除機本体１２と、この掃除機本体１２に着脱自在に装着されるダストカップ（集塵ケース）２０等とを備えている。
【００１１】
掃除機本体１２には、ダストカップ２０を収納するダストカップ室１３が形成され、このダストカップ室１３の上部が開口されており、この開口１４からダストカップ２０を下方に押し込むことによりダストカップ２０がダストカップ室１３内に装着されるようになっている。
【００１２】
掃除機本体１２の前部には接続口１５が形成され、この接続口１５には図示しない集塵ホースの一端が着脱自在に接続されるようになっている。また、掃除機本体１２のダストカップ室１３の後部（図１において右側）には格子１６が設けられており、この格子１６の後方（図１において右側）には電動送風機１１が配置されている。電動送風機１１の吸気口（図示せず）は、ダストカップ２０が掃除機本体１２のダストカップ室１３内に装着されている際には、格子１６を介してダストカップ室１３に連通するようになっている。
【００１３】
ダストカップ２０は、塵埃を吸引する吸引口２１を前部に設けるとともに後部に後部開口２２を設けたカップ容器本体２３と、その後部開口２２に着脱自在に装着されるプリーツフィルタ体３０とを備えている。吸引口２１は、ダストカップ２０を掃除機本体１２のダストカップ室１３に装着した際に、掃除機本体１２の接続口１５に連通するようになっている。
【００１４】
カップ容器本体２３内には、吸引口２１（図１参照）から吸引された塵埃と空気を分離する慣性分離手段（図示せず）と、この慣性分離手段を通過した塵埃を分離するプリーツフィルタ３０よりも目の粗いメッシュ等で形成された二次フィルタ２４と、前記慣性分離手段で分離された塵埃と二次フィルタ２４によって分離された塵埃とを集塵する第１集塵室部（集塵室部）２５（図２参照）と、二次フィルタ２４の右側に微細な塵埃を集塵する第２集塵室部２６とが設けられている。
【００１５】
慣性分離手段は、例えば吸引した空気を旋回させて塵埃と空気とを分離するものである。
【００１６】
また、カップ容器本体２３の底蓋２７が開閉可能に設けられており、カップ容器本体２３の上部に形成した把手部２８（図１参照）に設けた図示しない操作ボタンを押すと底蓋２７が開成するようになっている。この底蓋２７の開成により第１,第２集塵室部２５,２６に溜まった塵埃が捨てられるようになっている。
【００１７】
プリーツフィルタ体３０は、図３に示すように、カップ容器本体２３の後部開口２２に嵌入する枠体３１と、この枠体３１に取り付けられたプリーツフィルタ）（フィルタ）３２とを有している。プリーツフィルタ３２は上下方向に直線上に延びた山部３２Ａと谷部３２Ｂとを有している。
【００１８】
枠体３１の上流面３１Ａには、プリーツフィルタ３２の両側位置にガイドレール３３,３３が上下方向に沿って設けられている。このガイドレール３３,３３には上下方向に移動可能にブラシ４０が設けられている。
【００１９】
ブラシ４０は、図４に示すように、ガイドレール３３,３３に係合するとともにこのガイドレール３３,３３に沿って移動可能なコ字状の係合部４１,４１を両端部に有するとともに左右方向に延びたブラシ台４２と、このブラシ台４２に植毛されるとともにプリーツフィルタ３２に接触したブラシ毛体４３とを有している。
［動  作］
次に、上記のように構成される電気掃除機１０の動作について説明する。
【００２０】
先ず、掃除機本体１２のダストカップ室１３にプリーツフィルタ体３０を装着したダストカップ２０を装着する。また、掃除機本体１２の接続口１５に図示しない集塵ホースの一端を接続し、この集塵ホースの他端に延長管などを介して吸込口体（図示せず）を接続する。そして、図示しない電源スイッチをオンにすると、電動送風機１１が駆動されてダストカップ２０内である第１,第２集塵室部２５,２６が負圧となる。
【００２１】
この負圧が集塵ホース,延長管,吸込口体に作用して吸込口体から空気とともに塵埃が吸引されていく。吸込口体に吸引された空気および塵埃は延長管,集塵ホース,掃除機本体１２の接続口１５およびダストカップ２０の吸引口２１を介してダストカップ２０の慣性分離手段へ吸引されていく。
【００２２】
慣性分離手段へ吸引された塵埃および空気は慣性により塵埃と空気とに分離され、この分離された塵埃が第１集塵室部２５に集塵されていく。慣性分離手段によって分離されなかった塵埃は空気とともに二次フィルタ２４へ吸引されていき、この二次フィルタ２４により塵埃と空気が分離され、分離された塵埃が第１集塵室部２５に集塵されていく。
【００２３】
微細な塵埃は空気とともに二次フィルタ２４を通ってプリーツフィルタ３２に達する。このプリーツフィルタ３２によって微細な塵埃と空気とが分離され、微細な塵埃は第２集塵室部２６に集塵されていくが、一部はプリーツフィルタ３２のフィルタ面に付着していく。
【００２４】
プリーツフィルタ３２を通過する空気は電動送風機１１の吸気口へ吸引されていき、この吸気口へ吸引された空気は電動送風機１１の排出孔（図示せず）を介して掃除機本体１２の排気孔（図示せず）から外気へ排気されていく。
【００２５】
ダストカップ２０の第１,第２集塵室部２５,２６に塵埃が溜まったら、ダストカップ２０を掃除機本体１２から外す。そして、把手部２８の操作ボタン（図示せず）を押すと、ダストカップ２０の底蓋２７が開成されて、第１,第２集塵室部２５,２６に溜まった塵埃が捨てられることになる。
【００２６】
また、プリーツフィルタ３２のフィルタ面に微細な塵埃が付着して目詰まり状態になっていれば、プリーツフィルタ体３０をダストカップ２０から外す。そして、ブラシ４０をガイドレール３３,３３に沿って上下動させる。このブラシ４０の上下動により、ブラシ４０のブラシ毛体４３がプリーツフィルタ３２の山部３２Ａおよび谷部３２Ｂの延びる方向に沿って移動していくので、谷部３２Ｂの奥に入り込んでいる塵埃やプリーツフィルタ３２のフィルタ面に付着している微細な塵埃を十分に落すことができる。また、二次フィルタ２４の下流側にプリーツフィルタ３０を設けているので、大きな塵埃がブラシ４０に絡まることがなく、操作性が損なわれることはない。
【００２７】
図５は他のブラシ１４０を示したものであり、このブラシ１４０は、ブラシ毛体１４３をプリーツフィルタ３２の形状すなわち谷部３２Ｂの断面形状に合わせて山切り状にカットしたものである。
【００２８】
このブラシ１４０によれば、ブラシ毛体１４３がプリーツフィルタ３２の形状に合わせて山切り状にカットされているものであるから、プリーツフィルタ３２のフィルタ面に付着している微細な塵埃を効率よく掻き落としていくことができる。また、山切り状でない場合と比較してプリーツフィルタ３２の表面とブラシ毛体１４３との摩擦が小さいため、ブラシ１４０をガイドレール３３,３３に沿って移動し易くなるので、操作性が向上する。
【００２９】
図６は別な他の例のブラシ２４０を示したものであり、このブラシ２４０は、ブラシ毛体２４３の毛先を球状に、すなわち毛先の先端に球状体２４３ａを形成したものである。
【００３０】
このブラシ２４０によれば、毛先を球状にしたものであるからプリーツフィルタ３２のフィルタ面を傷めずにそのフィルタ面に付着している微細な塵埃を効率よく掻き落としていくことができる。
［第２実施例］
図７および図８は第２実施例のプリーツフィルタ体１３０を示したものである。このプリーツフィルタ体１３０は、リンク機構１３１によってブラシ４０をガイドレール３３,３３に沿って下方向に移動させるようにしたものである。
【００３１】
リンク機構１３１は、図９に示すように、枠体３１（図７参照）に回動自在に貫通した一対の軸１３２,１３３と、この軸１３２の後部に一端が固定されるとともにプリーツフィルタ３２の下流側に配置される操作部材１３４と、軸１３３の後部に固定されるとともにプリーツフィルタ３２の下流側に配置される回動部材１３５と、軸１３２,１３３の先端部に一端が固定されるとともにプリーツフィルタ３２の上流側に配置されるアーム１３６,１３７等とから構成されている。
【００３２】
回動部材１３５には長手方向に沿って長孔１３５Ａが形成され、この長孔１３５Ａ内に操作部材１３４の他端に設けたツマミ１３４Ａが貫装されている。そして、このツマミ１３４Ａを上下動させると操作部材１３４および回動部材１３５が軸１３２,１３３を中心にして軸１３２,１３３とともに回動するようになっている。
【００３３】
アーム１３６,１３７には長手方向に沿って長孔１３６Ａ,１３７Ａが形成され、この長孔１３６Ａ,１３７Ａ内にはブラシ４０のブラシ台４２に設けた突起１３８,１３９がその長孔１３６Ａ,１３７Ａに沿って移動可能に挿入されている。
【００３４】
そして、アーム１３６,１３７が軸１３２,１３３を中心にして回動することにより、その回動とともにブラシ４０が上下動するようになっている。
【００３５】
すなわち、ツマミ１３４Ａを図８に示す位置から下方に移動させると、操作部材１３４および回動部材１３５が軸１３２,１３３回りにそれぞれ矢印で示す方向に回動し、この操作部材１３４および回動部材１３５の回動とともに軸１３２,１３３が回動し、この軸１３２,１３３の回動とともにアーム１３６,１３７が図７に示す矢印方向に回動する。このアーム１３６,１３７の矢印方向への回動により、ブラシ４０が下方に移動する。
【００３６】
逆に、ツマミ１３４Ａを上方に移動させると、上記と逆方向に操作部材１３４および回動部材１３５やアーム１３６,１３７が回動してブラシ４０が上方へ移動する。
【００３７】
このようにツマミ１３４Ａを上下動させれば、このツマミ１３４Ａに連動してブラシ４０が上下動して、プリーツフィルタ３２のフィルタ面に付着している微細な塵埃を掻き落としていく。
【００３８】
ツマミ１３４Ａはプリーツフィルタ３２の下流側に配置されているので、ツマミ１３４Ａの操作の際に手を汚してしまうことがない。また、プリーツフィルタ体１３０をダストカップ２０から外さなくてもブラシ４０を上下動させることができるので、ブラシ４０で掻き落とす微細な塵埃をまき散らすことなくダストカップ２０の第２集塵室部２６へ溜めることができる。このため、周囲を汚すことなく微細な塵埃をごみ箱へ捨てることができる。
［第３実施例］
図１０および図１１は第３実施例の電気掃除機を示したものである。この第３実施例では、掃除機本体１２の格子１６の上部に２つの突起部１６Ａ,１６Ｂを上下に設け、突起部１６Ａを図８および図９に示すリンク機構１３１の操作部材１３４のツマミ１３４Ａに係合させることによって、プリーツフィルタ体１３０（図７参照）を装着したダストカップ２０（図１参照）を掃除機本体１２のダストカップ室１３から上に引き出して取り外す際にブラシ４０を下方に移動させ、このダストカップ２０を掃除機本体１２のダストカップ室１３に上から押し込んで装着する際にブラシ４０を上方に移動させるようにしたものである。
【００３９】
突起部１６Ａの突出する長さは突起部１６Ｂの突出する長さより短く設定され、ダストカップ２０が掃除機本体１２のダストカップ室１３に完全に装着された際には、操作部材１３４のツマミ１３４Ａが突起部１６Ａを乗り越えて、突起部１６Ａと突起部１６Ｂとの間に位置するようになっており、突起部１６Ｂによってブラシ４０が下方へ落ちないようになっている。
【００４０】
また、ダストカップ２０が掃除機本体１２のダストカップ室１３から完全に外れるときに、突起部１６Ａと突起部１６Ｂとの間にある操作部材１３４のツマミ１３４Ａが突起部１６Ａを乗り越えるようになっている。
【００４１】
このような構成にしたことによって、ダストカップ２０を掃除機本体１２に着脱するときに必ずプリーツフィルタ３２の塵落としがなされるので、塵埃を捨てる前に必然的に塵落としがなされるので複雑な構成を必要とせずに略定期的に塵落としをすることができる。
［第４実施例］
図１２および図１３は第４実施例のプリーツフィルタ体３３０を示したものである。
【００４２】
このプリーツフィルタ体３３０では、プリーツフィルタ３２の上部に通気性のないマスク部３３１を設け、ダストカップ２０を掃除機本体１２のダストカップ室１３に装着した際に、ブラシ４０が常にマスク部３３１に位置するようにしたものである。
【００４３】
このようにすることにより、ブラシ４０のブラシ毛体４３の上側の空気は図１３の矢印で示すようにマスク部３３１が設けられていないプリーツフィルタ３２へ流れていく。このため、その空気はブラシ毛体４３の毛の間を通るので、ブラシ毛体４３に付着した塵埃を除去することができる。
【００４４】
上記実施例では、いずれもブラシ４０でプリーツフィルタ３２に付着した塵埃を落とす場合について説明したが、必ずしもプリーツフィルタである必要はなく、他のフィルタであってもよい。
【図面の簡単な説明】
【００４５】
【図１】この発明に係る電気掃除機の外観を示した斜視図である。
【図２】ダストカップの下部を示した拡大断面図である。
【図３】図１に示す電気掃除機のプリーツフィルタ体を示した斜視図である。
【図４】プリーツフィルタ体に取り付けたブラシを示した平面図である。
【図５】ブラシの他の例を示した説明図である。
【図６】ブラシの別な他の例を示した説明図である。
【図７】第２実施例のプリーツフィルタ体を示した斜視図である。
【図８】図７のプリーツフィルタ体の裏面側から見た斜視図である。
【図９】リンク機構の構成を示した斜視図である。
【図１０】第３実施例の電気掃除機の掃除機本体の一部を示した説明図である。
【図１１】第３実施例の電気掃除機の腰部の構成を示した説明図である。
【図１２】第４実施例のプリーツフィルタ体の主要部を示した説明図である。
【図１３】プリーツフィルタに流れる空気の方向を示した説明図である。
【符号の説明】
【００４６】
１１      電動送風機
１２      掃除機本体
２０      ダストカップ（集塵ケース）
２１      吸引口
２４      一次フィルタ（塵埃分離手段）
３０      プリーツフィルタ体（フィルタ）
４０      ブラシ
【図１】
2005261518.tif 000003
【図２】
2005261518.tif 000004
【図３】
2005261518.tif 000005
【図４】
2005261518.tif 000006
【図５】
2005261518.tif 000007
【図６】
2005261518.tif 000008
【図７】
2005261518.tif 000009
【図８】
2005261518.tif 000010
【図９】
2005261518.tif 000011
【図１０】
2005261518.tif 000012
【図１１】
2005261518.tif 000013
【図１２】
2005261518.tif 000014
【図１３】
2005261518.tif 000015